(57)【特許請求の範囲】
【請求項１】
前面枠の表面側に上部受皿と下部受皿を設け、前面枠の裏面側には導電性素材製の導電性フレームを設け、該導電性フレームの背面側に、所定数の遊技球を排出する球排出ユニットと、該球排出ユニットが排出した遊技球を前記上部受皿に排出する球排出路とを設けるとともに、該球排出路からオーバーフローした遊技球を前記下部受皿に案内する溢れ球案内路を設け、この溢れ球案内路の一部を球流路形成部材により構成した遊技機において、
前記球流路形成部材は、球入口が上面に開口して第１床部が左右一側方向に下り傾斜して球排出路側からの遊技球を球入口から第１床部上に落下させて受け入れる球落下室と、該球落下室の第１床部の傾斜下端側で連通し、第２床部が下部受皿側に下り傾斜し、この第２床部に導電板を敷設した帯電除去室とを形成し、
前記帯電除去室は、
当該帯電除去室の後端起立壁の下端部分に前記球落下室の後端起立壁よりも後方に窪ませた凹部を形成し、前記第２床部の傾斜途中に段差部を形成するとともに、当該段差部の段差起立面に係止孔を形成し、前記第２床部の傾斜下端には、前記球流路形成部材を前面枠の裏面に固定するフランジ部よりも突出する床突部を形成してなり、
前記導電板は、
当該導電板の傾斜上端部分を折り曲げて前記凹部内に入る高さの導電起立部を形成し、当該導電板の傾斜途中に、前記帯電除去室の段差部に対応させて段差屈曲部を形成するとともに、段差屈曲部の側縁の一部を切り曲げて後方に突出する係止爪を形成し、当該導電板の傾斜下端には、前記床突部に引っ掛かる先端引っ掛け部を屈曲形成して成り、
前記導電起立部を前記凹部内に収納し、前記先端引っ掛け部を前記床突部に引っ掛けるとともに、前記係止爪を前記係止孔に係止した状態で、導電性止着部材を前記導電起立部と前記凹部の後端部とに貫通させて止着し、帯電除去室の外部に突出した前記導電性止着材にアース線の一端を接続し、該アース線の他端を前記導電性フレームに接続したことを特徴とする遊技機。
【請求項２】
前記凹部は、遊技球の直径よりも上下寸法を小さく設定されていることを特徴とする請求項１記載の遊技機。
【発明の詳細な説明】
【０００１】
【発明の属する技術分野】
本発明は、パチンコ機などの遊技機に関し、特にオーバーフローした遊技球を下部受皿に案内する溢れ球案内路の一部を球流路形成部材により構成し、この球流路形成部材内に導電板を敷設して遊技球の帯電を防止するようにした遊技機に関する。
【０００２】
【従来の技術】
発射した遊技球が遊技領域を流下してアタッカーなどの入賞具に入賞すると、球排出ユニットが作動して所定数の遊技球を賞球としてパチンコ機前面の上部受皿に排出し、入賞具に入賞した遊技球はセーフ球として処理された後にパチンコ機の外部に排出され、また、いずれの入賞具にも入賞しなかった遊技球はアウト口に入ってアウト球となってパチンコ機の外部に排出される。そして、パチンコ機から排出された遊技球は、島内下部に設けてある球回収樋によって回収されて球揚送装置に集められ、この球揚送装置により揚送されながら研磨されて島の上部の球貯留タンク内に貯留され、この球貯留タンクから球補給樋を介して各パチンコ機の上タンクに補給され、この上タンク内の遊技球が前記した賞球として上部受皿に排出されたり、或いは貸し球として上部受皿に排出され、上部受皿が満杯になって次から流下してくる遊技球が入りきらない状態になると、球排出路の途中から分岐したオーバーフロー流路を通って下部受皿に排出される。
【０００３】
上部受皿内の遊技球はそのまま再度発射されることが多く、遊技を終了したり、或いは他のパチンコ機に移動する場合には、一旦下部受皿に流下させてから球箱に収容する。このため、遊技者が上部受皿内の遊技球に接触することは少ない。しかし、下部受皿に排出された遊技球は、上部受皿内の遊技球が不足した場合には遊技者が下受皿から手で上部受皿に移し替える。このときに、遊技球が帯電していると、触った瞬間に静電気の衝撃を受けるので、不快感がある。
【０００４】
このため、従来のパチンコ機における帯電防止機構は、例えば実公平３−２３０号公報に開示されているように、下部受皿の出口の内面に導電性板材を敷設し、この導電性板材の一部を延出し、この延出部分を介して静電気を前面枠裏面の導電性フレームに放電するように構成する。
【０００５】
【発明が解決しようとする課題】
しかしながら、前記した帯電防止機構では、導電性板材からの延出部分を導電性フレームに導通させるために、導通不良が生じ易い。
【０００６】
本発明は、前記した不都合を解消しようとするものであり、その目的は、下部受皿に流下する遊技球の静電気を簡単な構成で確実に放電させることができる遊技機を提供しようとするものである。
【０００７】
【課題を解決するための手段】
本発明は前記目的を達成するために提案されたもので、請求項１に記載のものは、前面枠の表面側に上部受皿と下部受皿を設け、前面枠の裏面側には導電性素材製の導電性フレームを設け、該導電性フレームの背面側に、所定数の遊技球を排出する球排出ユニットと、該球排出ユニットが排出した遊技球を前記上部受皿に排出する球排出路とを設けるとともに、該球排出路からオーバーフローした遊技球を前記下部受皿に案内する溢れ球案内路を設け、この溢れ球案内路の一部を球流路形成部材により構成した遊技機において、
前記球流路形成部材は、球入口が上面に開口して第１床部が左右一側方向に下り傾斜して球排出路側からの遊技球を球入口から第１床部上に落下させて受け入れる球落下室と、該球落下室の第１床部の傾斜下端側で連通し、第２床部が下部受皿側に下り傾斜し、この第２床部に導電板を敷設した帯電除去室とを形成し、
前記帯電除去室は、
当該帯電除去室の後端起立壁の下端部分に前記球落下室の後端起立壁よりも後方に窪ませた凹部を形成し、前記第２床部の傾斜途中に段差部を形成するとともに、当該段差部の段差起立面に係止孔を形成し、前記第２床部の傾斜下端には、前記球流路形成部材を前面枠の裏面に固定するフランジ部よりも突出する床突部を形成してなり、
前記導電板は、
当該導電板の傾斜上端部分を折り曲げて前記凹部内に入る高さの導電起立部を形成し、当該導電板の傾斜途中に、前記帯電除去室の段差部に対応させて段差屈曲部を形成するとともに、段差屈曲部の側縁の一部を切り曲げて後方に突出する係止爪を形成し、当該導電板の傾斜下端には、前記床突部に引っ掛かる先端引っ掛け部を屈曲形成して成り、
前記導電起立部を前記凹部内に収納し、前記先端引っ掛け部を前記床突部に引っ掛けるとともに、前記係止爪を前記係止孔に係止した状態で、導電性止着部材を前記導電起立部と前記凹部の後端部とに貫通させて止着し、帯電除去室の外部に突出した前記導電性止着材にアース線の一端を接続し、該アース線の他端を前記導電性フレームに接続したことを特徴とする遊技機である。
【０００８】
請求項２に記載のものは、前記凹部が、遊技球の直径よりも上下寸法を小さく設定されていることを特徴とする請求項１に記載の遊技機である。
【０００９】
【発明の実施の形態】
以下、本発明の実施の形態を図面に基づいて説明する。
図１は代表的な遊技機であるパチンコ機１の正面図、図２は前面枠２とガラス枠３と開閉パネル４を開いた状態の斜視図、図３はパチンコ機１の背面図である。
【００１０】
パチンコ機１は、機枠５の前面に額縁状の前面枠２を開閉可能に取り付け、前面枠２の開口部を前方から塞ぐようにガラス枠３と開閉パネル４を開閉可能に取り付け、開閉パネル４の前面に上部受皿６を設け、前面枠２の前面下部には、中央に下部受皿７を、その右側に発射操作ハンドル８、左側に灰皿９をそれぞれ設け、前面枠２の裏面には、導電性フレームとして鉄板等の導電性素材製の遊技盤収納フレーム１０を固定し、この遊技盤収納フレーム１０の下部に、発射レール１１等を備えたフレームボード１２を配設し、このフレームボード１２上に載置した状態で遊技盤１３を遊技盤収納フレーム１０内に装着し、遊技盤１３の表面に形成した遊技領域１４がガラス枠３のガラスを通して見えるように構成されている。また、遊技盤収納フレーム１０の後面には裏機構盤１５を設け、この裏機構盤１５に遊技球を処理する各種機構や役物制御装置等を取り付ける。
【００１１】
具体的には、裏機構盤１５の上部に上タンク２０を、その下に球導出シュート２１を設け、球導出シュート２１の傾斜下端に接続して球排出ユニット２２を裏機構盤１５の一側に設け、この球排出ユニット２２から球排出路２３を下方に向けて延設してから中央寄りに屈曲させて全体略Ｌ字状に形成し、球排出路２３の下部を前方に向けて屈曲して遊技盤収納フレーム１０を貫通させて出口２４を前方に向けて開口し、開閉パネル４を閉じると開閉パネル４の裏面に突出した状態で設けた接続樋２５と出口２４が連通して球排出ユニット２２からの遊技球が球排出路２３を通って上部受皿６に排出されるように構成する。したがって、遊技領域１４内を流下する遊技球が入賞具２６に入賞すると、球排出ユニット２２が作動して入賞の価値に対応した数の遊技球を流下し、この遊技球が球排出路２３を通って上部受皿６に排出される。また、本実施形態では、パチンコ機１と対にしてカードユニット３０を併設し、上部受皿６に球貸し操作部３１等を設けてあるので、プリペイドカードをカードユニット３０のカード挿入口３２に挿入して遊技者が球貸し操作部３１を操作すると、球排出ユニット２２が作動して所定数の遊技球が上部受皿６に排出される。
【００１２】
また、球排出路２３の下部、詳しくは球排出路２３の出口２４の少し上流側から溢れ球案内路３３を分岐し、分岐部分には溢れ球案内路３３の入口が高い段差を付けて分岐部分の下流側が空いている場合には球排出ユニット２２からの遊技球が球排出路２３の出口側にそのまま流下して上部受皿６に排出され、上部受皿６が満杯になるなどして分岐部分まで遊技球が溜った場合には、球排出ユニット２２からの遊技球が分岐部分の段差を乗り越えて溢れ球案内路３３の方にオーバーフローするように構成する。なお、溢れた遊技球を溢れ球案内路３３に流下させる構成は、前記構成に限定されるものではない。
【００１３】
溢れ球案内路３３は、下端の出口が下部受皿７に連通してオーバーフローした溢れ球を下部受皿７に案内する流路であり、本実施形態では裏機構盤１５に形成した上部流路３３ａと、フレームボード１２の下方に位置する前面枠２の裏面下部に取りつけられた球流路形成部材３４内の下部流路３３ｂとに大別されて構成されており、上部流路３３ａの途中にオーバーフロー検出器（図示せず）が配設されている。
【００１４】
球流路形成部材３４は、プラスチック製の箱状部材であり、図４および図５に示すように、前面枠２の裏面に取り付けるフランジ部４０の後方に、球入口４１が上面に開口して床部４２（本発明の第１床部に相当）が左右一側方向に下り傾斜して球排出路２３側からの遊技球を球入口４１から床部４２上に落下させて受け入れる球落下室４３と、球落下室４３の床部４２の傾斜下端側で連通して、床部４４（本発明の第２床部に相当）が下部受皿７側に下り傾斜し、この床部４４に導電板４５を敷設した帯電除去室４６と、セーフ球を外部に排出するセーフ球排出流路４７とを形成してある。
【００１５】
なお、フランジ部４０には、位置決め孔４９を開口するとともに、止着孔５０を開口してある。したがって、フレームボード１２のフランジ部５１から突出している位置決め突起５２を前記位置決め孔４９内に嵌合すると、フレームボード１２と球流路形成部材３４との位置を所定位置に簡単且つ確実に合わせることができる。そして、この状態で止着孔５０にねじを通して固定したり、あるいはステップルを打ち込んだりすると、前面枠２の裏面の所定位置に容易に固定することができる。
【００１６】
球落下室４３は、上面に開口した球入口４１が裏機構盤１５の上部流路３３ａに連通した室であり、床部４２の傾斜下端側に位置する面が開放されており、この開放部分が帯電除去室４６に連通している。したがって、上部流路３３ａ内を流下してきた溢れ球は、球入口４１から球落下室４３内に流入して床部４２上に落下して流下方向を傾斜下端側に向けて変換し、床部４２の下り傾斜によって帯電除去室４６に向けて流下する。そして、上部流路３３ａから勢いよく流下してきた溢れ球は、球落下室４３内で流下方向を変換する際に流下勢が弱められる。
【００１７】
帯電除去室４６は、床部４４が前方に向けて下り傾斜して傾斜下端の球出口５３で下部受皿７と連通するが、本実施形態では傾斜上端である後端起立壁の下端部分に、前記球落下室４３の後端起立壁よりも後方に窪ませた凹部５４を形成し、また、床部４４の傾斜途中に段差部５５を形成するとともに、該段差部５５の段差起立面に係止孔５６を形成し、床部４４の傾斜下端には、フランジ部４０よりも突出する床突部６０を形成し、床部４４には当該床部４４の上面形状に応じた形状の導電板４５を敷設してある。なお、前記凹部５４は、遊技球の直径よりも上下寸法を小さく設定して、遊技球が内部に入らないようにしてある。
また、段差部５５よりも下流側の床部４４の上方に位置する天井面には、フレームボード１２に形成してある球抜き流路６１の出口が連通する連通口６２を開設してある。したがって、上部受皿６の球抜き操作部６３を操作すると、上部受皿６内の遊技球がフレームボード１２の球抜き流路６１を流下して連通口６２から帯電除去室４６内に流下し、最終的には下部受皿７内に排出される。
【００１８】
導電板４５は、導電性を有するステンレス板等の板材であり、本実施形態では図６に示すように、床部４４の段差に応じて段差屈曲部６４を形成することはもちろんのこと、傾斜上端を前記凹部５４内に入る高さの導電起立部６５を略倒Ｌ字状に折り曲げ成形し、この導電起立部６５のほぼ中央に止着孔６６を開設し、また段差屈曲部６４の側縁の一部を切り曲げて後方に突出する係止爪７０を形成し、導電板４５の傾斜下端には、前記床突部６０に引っ掛かる先端引っ掛け部７１を下方に折り返すように屈曲形成してある。
【００１９】
この様な構成からなる導電板４５を帯電除去室４６の床部４４に取り付けるには、導電板４５を球出口５３側から挿入して導電起立部６５を凹部５４内に収納し、先端引っ掛け部７１を床突部６０に引っ掛けるとともに、係止爪７０を係止孔５６に係止し、この状態で導電起立部６５の止着孔６６内に導電性止着部材としての金属ねじ７２を挿通し、凹室５４の後端部となった後端起立壁も貫通して外部に突出した金属ねじ７２にナット７３を螺合して締め付けると、導電板４５の先端が床突部６０に引っ掛かっているので、固定することができる。しかも、導電板４５を球出口５３側から挿入すると、係止爪７０が床部４４の段差部５５の係止孔５６に係止されるので、傾斜の途中が浮き上がることもない。そして、導電板４５を取り付ける場合、外部に突出した金属ねじ７２にナット７３を螺合する際にアース線７４の一端を接続し、このアース線７４の他端を前記遊技盤収納フレーム１０に接続して導電板４５と遊技盤収納フレーム１０とを導通させる。
【００２０】
この様な構成からなる帯電除去室４６内を溢れ球が流下する場合、遊技球の直径よりも小さな上下寸法で後方に窪んだ凹部５４内に金属ねじ７２の頭部が位置しているので、球落下室４３から流下してきた溢れ球が金属ねじ７２の頭部に当たり難く、また当たる場合にも球の流下勢が球落下室４３の作用により弱められているので、金属ねじ７２の頭部が摩耗したり損傷したりすることを防止できる。したがって、導電板４５を交換したりする場合にも、金属ねじ７２を簡単に取り外すことができる。
【００２１】
そして、球落下室４３から流下してきた溢れ球は床部４４上を下り傾斜によって球出口５３に向かって転動しながら流下し、この時に球に帯電している静電気が導電板４５からアース線７４を通じて遊技盤収納フレーム１０に逃がされ、遊技盤収納フレーム１０で空中放電される。したがって、帯電除去室４６の導電板４５上を流下して下部受皿７に排出された溢れ球は、電荷が弱められて遊技者の感電を防止することができる。また、導電板４５上を球が流下する場合に、流下勢が強いと球同士の摩擦や床部との摩擦、あるいは側壁面との摩擦によって再度帯電することが考えられるが、本実施形態では球落下室４３の流下勢低減作用により流下勢が弱められているので、下部受皿７に排出される球の帯電を確実に除去することができる。
【００２２】
そして、下部受皿７の底部に金属板を敷設したり、あるいは下部受皿７自体を導電性プラスチック製とするなどして、少なくとも底部に導電性を持たせ、この導電性のある上端部分を帯電除去室４６の導電板４５の先端引っ掛け部７１に導通させると、下部受皿７内の遊技球の静電気を導電板４５からアース線７４を介して遊技盤収納フレーム１０に逃がすことができるので、一層確実に遊技者の感電を防止できる。
【００２３】
なお、前記実施形態では帯電除去室４６の横に球落下室４３を形成し、ほぼ垂直に流下してきた溢れ球の流下勢を球落下室４３で減衰させたが、球落下室４３を設けることなく直接帯電除去室４６に落下させる場合であっても、凹部５４内に導電板４５の導電起立部６５を収納して金属ねじ７２で止着するので、金属ねじ７２の頭部に流下してきた溢れ球が直接当接することを防止でき、金属ねじ７２の頭部を保護することができる。なお、前記実施形態では導電性止着材として金属ねじ７２を使用したが、これに限定されるものではない。
【００２４】
また、本発明は、パチンコ機に限定されるものではなく、アレンジボール式遊技機や雀球遊技機などでもよい。
【００２５】
【発明の効果】
本発明は以下の効果を奏する。
請求項１の発明によれば、球排出路からオーバーフローした遊技球を前記下部受皿に案内する溢れ球案内路の一部を球流路形成部材により構成した遊技機において、前記球流路形成部材は、球入口が上面に開口し、第１床部が左右一側方向に下り傾斜して球排出路側からの遊技球を球入口から第１床部上に落下させて受け入れる球落下室と、該球落下室の第１床部の傾斜下端側で連通し、第２床部が下部受皿側に下り傾斜し、この第２床部に導電板を敷設した帯電除去室とを形成し、前記帯電除去室は、当該帯電除去室の後端起立壁の下端部分に前記球落下室の後端起立壁よりも後方に窪ませた凹部を形成し、前記第２床部の傾斜途中に段差部を形成するとともに、当該段差部の段差起立面に係止孔を形成し、前記第２床部の傾斜下端に、前記球流路形成部材を前面枠の裏面に固定するフランジ部よりも突出する床突部を形成してなり、前記導電板は、当該導電板の傾斜上端部分を折り曲げて前記凹部内に入る高さの導電起立部を形成し、当該導電板の傾斜途中に、前記帯電除去室の段差部に対応させて段差屈曲部を形成するとともに、段差屈曲部の側縁の一部を切り曲げて後方に突出する係止爪を形成し、当該導電板の傾斜下端には、前記床突部に引っ掛かる先端引っ掛け部を屈曲形成して成り、前記導電起立部を前記凹部内に収納し、前記先端引っ掛け部を前記床突部に引っ掛けるとともに、前記係止爪を前記係止孔に係止した状態で、導電性止着部材を前記導電起立部と前記凹部の後端部とを貫通させて止着し、帯電除去室の外部に突出した前記導電性止着材にアース線の一端を接続し、該アース線の他端を前記導電性フレームに接続したので、溢れ球の帯電を除去でき、遊技者に感電による不快感を与えることを回避することができる。そして、この帯電除去の構成が簡単なので、製造工程をいたずらに煩雑化することがない。
また、導電板を止着する導電性止着材が凹部内に収納されているので、この導電性止着材に溢れ球が当たって摩耗させたり損傷したりするトラブルを防止することができる。
【００２６】
また、導電板の取付作業を簡単に行うことができ、しかも傾斜途中の係止爪により導電板の浮き上がりを防止することができる。さらに、球落下室への溢れ球の落下によって流下勢を減衰することができ、これにより帯電除去室の導電板上を流下する球の流下勢を従来よりも弱めることができる。したがって、帯電除去室内を流下する途中で再度帯電する不都合を解消することができる。
【００２７】
請求項２の発明によれば、凹部は、遊技球の直径よりも上下寸法を小さく設定したので、遊技球が、凹部内に入り込むのを防止することができる。
【図面の簡単な説明】
【図１】パチンコ機の正面図である。
【図２】前面枠とガラス枠と開閉パネルを開放した状態におけるパチンコ機の斜視図である。
【図３】パチンコ機の背面図である。
【図４】球流路形成部材の斜視図である。
【図５】球流路形成部材の断面図である。
【図６】導電板の斜視図である。
【符号の説明】
１  パチンコ機
２  前面枠
３  ガラス枠
４  開閉パネル
５  機枠
６  上部受皿
７  下部受皿
８  発射操作ハンドル
９  灰皿
１０  遊技盤収納フレーム
１１  発射レール
１２  フレームボード
１３  遊技盤
１４  遊技領域
１５  裏機構盤
２０  上タンク
２１  球導出シュート
２２  球排出ユニット
２３  球排出路
２４  球排出路の出口
２５  接続樋
２６  入賞具
３０  カードユニット
３１  球貸し操作部
３２  カード挿入口
３３  溢れ球案内路
３３ａ  上部流路
３３ｂ  下部流路
３４  球流路形成部材
４０  球流路形成部材のフランジ部
４１  球入口
４２  床部
４３  球落下室
４４  床部
４５  導電板
４６  帯電除去室
４７  セーフ球排出路
４９  位置決め孔
５０  止着孔
５１  フレームボードのフランジ部
５２  位置決め突起
５３  球出口
５４  凹部
５５  段差部
５６  係止孔
６０  床突部
６１  球抜き流路
６２  連通口
６３  球抜き操作部
６４  段差屈曲部
６５  導電起立部
６６  止着孔
７０  係止爪
７１  引っ掛け部
７２  金属ねじ
７３  ナット
７４  アース線
【図１】
0003942279.tif 000002
【図２】
0003942279.tif 000003
【図３】
0003942279.tif 000004
【図４】
0003942279.tif 000005
【図５】
0003942279.tif 000006
【図６】
0003942279.tif 000007